(57)【特許請求の範囲】
【請求項１】
海中部分に電気防食を施した鋼矢板または鋼管矢板における水際の表面に形成する、防食層、クッション層および耐食性金属薄板を有する防食構造体であって、
さらに、耐食性を備える長尺状の金属板からなるバネ部材を有し、
前記バネ部材は、前記金属板の長手方向の２つの辺に対して平行な折り目を形成するように折られていて、その折り目を境界として第１部と第２部とに分かれており、前記第１部と前記第２部とがその折り目において９１〜１０５度の角度をなしていて、
前記耐食性金属薄板は、前記鋼矢板の断面台形状の本体部分または前記鋼管矢板の断面半円形状の本体部分を覆う本体部と、前記本体部の辺縁に形成された平坦折返部とを備え、前記平坦折返部が前記バネ部材の前記第１部を挟み、前記第２部が前記本体部の裏面に付くように配置され、
前記鋼矢板または前記鋼管矢板に固定された固定板と、前記平坦折返部と、の間に前記防食層および前記クッション層の延長部分が配置され、
前記平坦折返部、前記バネ部材の前記第１部、前記防食層および前記クッション層の延長部分を前記固定板へ固定する固定手段を有し、
前記バネ部材の第２部が前記クッション層を前記鋼矢板または前記鋼管矢板の表面方向へ押し付けるように作用する、鋼矢板または鋼管矢板の防食構造体。
【請求項２】
前記クッション層と前記防食層との間に、さらに遮水シートを備える、請求項１に記載の鋼矢板または鋼管矢板の防食構造体。
【請求項３】
前記平坦折返部と前記クッション層との間に、さらに連結板を有する、請求項１または２に記載の鋼矢板または鋼管矢板の防食構造体。
【請求項４】
前記固定手段は、前記固定板に固定されたエンジニアリングプラスチックからなるスタッドボルトおよびそれに螺合されるナットであり、前記スタッドボルトに前記防食層、前記クッション層、前記平坦折返部および前記バネ部材の前記第１部が挿通されて、前記ナットが螺合されて固定される、請求項１〜３のいずれかに記載の鋼矢板または鋼管矢板の防食構造体。
【発明の詳細な説明】
【技術分野】
【０００１】
本発明は、海水や河川水に曝される環境下に配列される鋼矢板または鋼管矢板の防食構造体に関する。
【背景技術】
【０００２】
鋼矢板または鋼管矢板を配列して構成される構造物は、港湾や河川の岸壁、桟橋、橋脚などに広く用いられる。港湾や河川に設置される構造物では、海水や河川水にさらされた環境下で長期間使用するため、何らかの防食処理を施すのが一般的である。
【０００３】
従来、防食処理として、例えば特許文献１、２に記載の防食構造が提案されている。
特許文献１に記載の防食構造について図を用いて説明する。
【０００４】
図４において、鋼管矢板１は、表面に有機防食層２が形成されている。有機防食層２は、ペトロラタム防食シートによる防食層２１と、厚手の特殊発砲ポリエチレンによるクッション層２２とによる２層とされている。有機防食層２は、チタン合金等による耐食性金属薄板３で更に被覆され、これらにより複層被覆防食構造９が形成されている。
耐食性金属薄板３は、断面形状の中間部分が鋼管矢板１に沿った半円弧状の本体部３１を有し、その両端に締め付け固定用の平坦部３２が形成されている。
【０００５】
平坦部３２の下方には、鋼管矢板１を相互に連結するための連結部（図示省略）が形成されており、この連結部に沿って平鋼材を用いた固定板４１が設置されている。固定板４１の表面側には、前述した鋼管矢板１の表面から連続する防食層２１およびクッション層２２と、耐食性金属薄板３と同質の連結板４２と、前述した平坦部３２と、鋼管矢板１の延伸方向（図面と交差する方向）に沿って延びる長尺平板状の押圧板４３とが順次積層されている。
固定板４１は、端部を鋼管矢板１に溶接等で固定されており、その表面には、鋼管矢板１の延伸方向に沿って所定間隔でスタッドボルト４４が設置されている。前述した防食層２１、クッション層２２、連結板４２、平坦部３２および押圧板４３は、それぞれスタッドボルト４４の位置に貫通孔が形成され、この貫通孔にスタッドボルト４４が挿通され、スタッドボルト４４に螺合されたナット４５で締め付けることで固定板４１に固定される。
なお、ナット４５を工具で締め付けるために、スタッドボルト４４と本体部３１との間には工具を導入するのに十分な間隔が必要であり、スタッドボルト４４は本体部３１から同間隔だけ離れた位置とする必要がある。
【０００６】
図５に示すように、耐食性金属薄板３は、ナット４５を締め付けることで、平坦部３２が固定板４１に向けて押し付けられる。これにより、耐食性金属薄板３の鋼管矢板１に沿った半円弧状の本体部３１が、有機防食層２である防食層２１とクッション層２２とを鋼管矢板１に押し付けて密着させる。
この際、クッション層２２では本体部３１による圧縮に対して反発力Ｆ１を生じ、これに伴う張力Ｆ２が本体部３１に生じる。この張力Ｆ２は、平坦部３２および押圧板４３を傾けるように作用する。すなわち、平坦部３２および押圧板４３において、本体部３１が起立する側では張力Ｆ２に従って上向きの力Ｆ３が生じる。一方で、平坦部３２および押圧板４３は、ナット４５の角の当接部位を支点Ｐとして回転するように傾き、本体部３１が起立する側とは反対側では下向きの力Ｆ４を生じる。
このような下向き力Ｆ４によって、本体部３１が起立する側とは反対側では、固定板４１との間でクッション層２２が過剰に圧縮されて潰れてしまい、所期のクッション性が得られなくなる。一方で、上向きの力Ｆ３が生じる本体部３１が起立する側では、クッション層２２が十分に押圧されず、防食層２１を固定板４１に対して密着させる機能が得られなくなる。
また、上記の張力Ｆ２が生じるとＦ２の方向へ本体部３１が移動するため、それに伴って平坦部３２は本体部３１側へ移動し、平坦部３２における貫通孔部分がスタッドボルト４４と接する場合がある。ここで鋼管矢板１における海中部分に電気防食を施していると、防食電流が鋼管矢板１からスタッドボルト４４を経由して耐食性金属板３へ流出してしまうため、電気防食用陽極の消耗速度が高まり、電気防食能が低下してしまう不具合が発生する。
【０００７】
このような図４、図５を用いて説明した課題を解決するため、特許文献１では図６に示す、鋼矢板または鋼管矢板の表面に、ペトロラタムを含む防食層２１と、クッション層２２と積層するとともに、前記クッション層２２の表面を耐食性金属薄板３で被覆した防食構造であって、前記耐食性金属薄板３の本体部３１の辺縁に形成された平坦部３２と、前記平坦部３２の裏面側に沿って配置されかつ前記鋼矢板または前記鋼管矢板１に固定された固定板４１と、前記固定板４１と前記平坦部３２との間に積層された前記防食層２１および前記クッション層２２の延長部分と、前記平坦部３２の表面に沿って配置されかつ前記平坦部３２と前記本体部３１との境界部分まで延びる押圧板４３と、前記押圧板４３から前記固定板４１までを締め付け固定する締め付けボルト４４と、前記押圧板４３の前記締め付けボルト４４に対する傾きを規制する規制部材４５２とを有することを特徴とする鋼矢板または鋼管矢板の防食構造が提案された。
そして、このような防食構造によれば、固定部分においては、平坦部３２の表面に沿って押圧板４３が配置され、この押圧板４３は平坦部３２と本体部３１との境界部分まで延びており、本体部３１からの張力Ｆ２が平坦部３２に伝達された場合でも押圧板４３で抑えることができ、平坦部３２の浮き上がりを防止することができ、また、フランジ付ナット４５Ａは、規制部材としてのフランジ４５２を有し、このフランジ４５２の端部が押圧板４３の端部（平坦部３２から本体部３１が立ち上がる位置）である点ＰＡまで延びているため、本体部３１からの張力Ｆ２が平坦部３２に伝達された場合でも、押圧板４３が傾くことを防止することができ、これらにより、平坦部３２および押圧板４３の傾きが防止されることで、平坦部３２と固定板４１との間の防食層２１およびクッション層２２の延長部分が過剰に圧縮されたり、あるいは鋼管矢板１への密着が不十分になったりする等の不都合を防止することができると記載されている。
【０００８】
また、特許文献２には、隣り合う鋼管本体が継手を介して連結された鋼管矢板壁の外壁面を防食するための鋼管矢板壁の防食構造において、前記鋼管矢板壁の外壁面に接触するペトロラタム系防食層とその外側の耐食性金属板との間に緩衝材が介装されてなる複数の防食カバーにより、前記鋼管矢板壁の外壁面が被覆され、前記複数の防食カバーは、前記隣り合う鋼管本体間に形成された凹底部内において互いの側端側の一部を重ね合わせた状態で固定され、前記鋼管本体の外周面を被覆している前記防食カバーの断面円弧状の耐食性金属板に、前記凹底部内に設けられた張力導入装置により周方向引張力が導入されていることを特徴とする鋼管矢板壁の防食構造が記載されている。
そして、このような防食構造によれば、張力導入装置により防食カバーの断面円弧状の耐食性金属板に周方向引張力を導入することとしているので、その耐食性金属板にしわが生じるのを防止することが可能となり、また、これにより、その断面円弧状の本体カバー部の緩衝材が圧縮変形することになり、変形した緩衝材の弾性反発力により鋼管本体に対する防食層の密着性を向上させることが可能となり、また、鋼管本体に形状誤差がある場合においても、緩衝材の圧縮変形によりその形状誤差に追従することができ、形状誤差がある場合でも鋼管本体に対する防食層の密着性を向上させることが可能となり、また、凹底部内に張力導入装置が設けられているので、凹底部内での防食カバーの浮き上がりが生じにくく、凹底部内における防食カバーの鋼管本体等に対する密着性を向上させることが可能となり、また、張力導入装置や互いに隣り合う防食カバーの重合部が凹底部内に設けられているので、凹底部以外の箇所において突出する部分を設けることが不要となると記載されている。
【先行技術文献】
【特許文献】
【０００９】
【特許文献１】特開２０１４−２１１０３７号公報
【特許文献２】特開２０１２−２２４９９４号公報
【発明の概要】
【発明が解決しようとする課題】
【００１０】
しかしながら、特許文献１、２に記載の方法の場合、押圧板、規制部材、張力導入装置などのような多くの部材が必要となり、これを用いた作業も煩雑となるという点が課題であった。
【００１１】
本発明は上記のような課題を解決することを目的とする。
すなわち、本発明の目的は、鋼矢板や鋼管矢板を複層被覆防食で防食する際、防食カバーの固定部分において耐食性金属薄板が傾かず防食カバーの密着性が確保され、確実に防食性能を発揮できる、より簡単な作業で構成することができる鋼矢板または鋼管矢板の防食構造体を提供することにある。
【課題を解決するための手段】
【００１２】
本発明者は鋭意検討し、上記課題を解決する方法を見出して本発明を完成させた。
本発明は次の（１）〜（５）である。
（１）海中部分に電気防食を施した鋼矢板または鋼管矢板における水際の表面に形成する、防食層、クッション層および耐食性金属薄板を有する防食構造体であって、
さらに、耐食性を備える長尺状の金属板からなるバネ部材を有し、
前記バネ部材は、前記金属板の長手方向の２つの辺に対して平行な折り目を形成するように折られていて、その折り目を境界として第１部と第２部とに分かれており、前記第１部と前記第２部とがその折り目において９１〜１０５度の角度をなしていて、
前記耐食性金属薄板は、前記鋼矢板の断面台形状の本体部分または前記鋼管矢板の断面半円形状の本体部分を覆う本体部と、前記本体部の辺縁に形成された平坦折返部とを備え、前記平坦折返部が前記バネ部材の前記第１部を挟み、前記第２部が前記本体部の裏面に付くように配置され、
前記鋼矢板または前記鋼管矢板に固定された固定板と、前記平坦折返部と、の間に前記防食層および前記クッション層の延長部分が配置され、
前記平坦折返部、前記バネ部材の前記第１部、前記防食層および前記クッション層の延長部分を前記固定板へ固定する固定手段を有し、
前記バネ部材の第２部が前記クッション層を前記鋼矢板または前記鋼管矢板の表面方向へ押し付けるように作用する、鋼矢板または鋼管矢板の防食構造体。
（２）前記バネ部材の前記第２部の幅が１００〜２００ｍｍである、上記（１）に記載の鋼矢板または鋼管矢板の防食構造体。
（３）前記クッション層と前記防食層との間に、さらに遮水シートを備える、上記（１）または（２）に記載の鋼矢板または鋼管矢板の防食構造体。
（４）前記平坦折返部と前記クッション層との間に、さらに連結板を有する、上記（１）〜（３）のいずれかに記載の鋼矢板または鋼管矢板の防食構造体。
（５）前記固定手段は、前記固定板に固定されたエンジニアリングプラスチックからなるスタッドボルトおよびそれに螺合されるナットであり、前記スタッドボルトに前記防食層、前記クッション層、前記平坦折返部および前記バネ部材の前記第１部が挿通されて、前記ナットが螺合されて固定される、上記（１）〜（４）のいずれかに記載の鋼矢板または鋼管矢板の防食構造体。
【発明の効果】
【００１３】
本発明によれば、鋼矢板や鋼管矢板を複層被覆防食で防食する際、防食カバーの固定部分において耐食性金属薄板が傾かず防食カバーの密着性が確保され、確実に防食性能を発揮できる、より簡単な作業で構成することができる鋼矢板または鋼管矢板の防食構造体を提供することができる。
【図面の簡単な説明】
【００１４】
【図１】本発明の好適例を示す概略断面図である。
【図２】本発明の好適例を示す別の概略断面図である。
【図３】本発明におけるバネ部材を説明するための概略図である。
【図４】従来の防食構造を説明するための概略断面図である。
【図５】従来の防食構造を説明するための別の概略断面図である。
【図６】従来の防食構造を説明するためのさらに別の概略断面図である。
【発明を実施するための形態】
【００１５】
本発明の防食構造体についてその好適例を挙げ、図面を用いて説明する。
図１において、鋼管矢板１は、断面円形の長尺筒型鋼材で形成された本体部１１と、それに隣接する本体部１１との間に配置された連結部１２とを有する。連結部１２は本体部１１に対して小径の円筒状とされ、その周方向の一部が切断され、この切断部分に他の鋼管矢板１の連結部１２を装入することで、複数の鋼管矢板１を相互に連結し、一連の壁面状構造物を構成することができる。
このような鋼管矢板１は、港湾施設の岸壁構造物を構築するために用いられる。このような用途では、海水に曝されることによる腐食が進行しやすい。そこで、このような鋼管矢板１には、本発明の防食構造体を適用することが好ましい。
【００１６】
図２に示す本発明の防食構造体９０は、有機防食層２（防食層２１、クッション層２２）および耐食性金属薄板３を有する防食構造体であって、さらに、耐食性を備える長尺状の金属板からなるバネ部材５を有する。
【００１７】
バネ部材５について図３を用いて説明する。
バネ部材５は、図３（ａ）に示すような金属板Ｍについて、長手方向の２つの辺（Ｗ1、Ｗ2）に対して平行な折り目（Ｗ3）を形成するように折られたものであり、図３（ｂ）に示すような態様のものである。バネ部材５は、図３（ｂ）に示すように、その折り目（Ｗ3）を境界として第１部（Ｐ1）と第２部（Ｐ2）とに分かれおり、第１部（Ｐ1）と第２部（Ｐ2）とがその折り目においてなす角度（θ）は９１〜１０５度である。この角度は９２〜９６度であることが好ましい。
なお、この角度（θ）は、バネ部材５を図３に示すような本発明の防食構造体に組み込んでいない状態の角度である。バネ部材５を図２に示すような本発明の防食構造体に組み込んだ場合、その角度は相対的に小さくなる。バネ部材５はこの角度が大きくなる方向に作用するので、第２部（Ｐ2）がクッション層２２を鋼矢板または鋼管矢板１の表面方向へ押し付ける（図２に示すＦ５が働く）。
【００１８】
また、バネ部材５の第２部（Ｐ2）の幅（Ｌ）が１００〜２００ｍｍであることが好ましく、１５０ｍｍ程度であることがより好ましい。このような幅であると、上記のＦ５が大きくなる傾向があるからである。
【００１９】
バネ部材の材質は、海水等に対して耐食性を備えるものであれば特に限定されないが、チタンまたはチタン合金からなるものであることが好ましい。
また、耐食性金属からなる板を所望の形状に加工したものであることが好ましい。板厚は特に限定されないが０．５〜３ｍｍ程度であることが好ましく、１ｍｍ程度であることが好ましい。
【００２０】
耐食性金属薄板について説明する。
耐食性金属薄板３は、鋼矢板１の断面台形状の本体部分１１または鋼管矢板１の断面半円形状の本体部分１１を覆う本体部３１と、本体部３１の辺縁に形成された平坦折返部３３とを備える。平坦折返部３３は、耐食性金属薄板３の端部を折り返して形成されたものであり、平坦折返部３３がバネ部材５の第１部（Ｐ1）を挟む。そして、第２部（Ｐ2）が本体部３１の裏面に付くように配置される。
前述のように、この状態においてバネ部材５における第１部（Ｐ1）と第２部（Ｐ2）とがその折り目においてなす角度（θ）は、バネ部材５を図３に示すような本発明の防食構造体に組み込んでいない状態における角度（θ）と比較して小さくなる。そうすると、この角度が大きくなる方向にバネ部材５が作用するので（すなわち、図２におけるＦ５が働くので）、クッション層２２は鋼矢板または鋼管矢板１の表面方向へ押し付けられる。
【００２１】
平坦折返部３３とバネ部材５とを固定する方法は特に限定されないが、例えば溶接して固定することができる。また、リベットを用いて固定してもよい。
【００２２】
耐食性金属薄板を構成する耐食性金属は、海水等に対して耐食性を備えるものであれば特に限定されないが、チタンまたはチタン合金からなるものであることが好ましい。
また、耐食性金属からなる薄板を所望の形状に加工したものであり、その板厚は特に限定されないが０．５〜３ｍｍ程度であることが好ましく、１ｍｍ程度であることが好ましい。
【００２３】
固定板について説明する。
図１に示すように固定板４１は連結部１２を覆うように、本体部１１に溶接等の手段により固定される。また、固定板４１と連結部１２との隙間部分４３には、例えば水中硬化型エポキシ樹脂が充填される。
固定板４１として平鋼材等を用いることができる。
【００２４】
固定手段について説明する。
固定手段は、平坦折返部３３、バネ部材の第１部（Ｐ1）、防食層２１およびクッション層２２の延長部分を固定板４１へ固定するための手段である。図１および図２では、この固定手段としてスタッドボルト４４およびそれに螺合されるナット４５を用いた例が示されている。図２に示すようにさらにワッシャー４６を用いることが好ましい。
【００２５】
ここで固定板４１とスタッドボルト４４とは接着剤を用いて結合することができる。例えば固定板４１に貫通孔を形成し、その貫通孔へスタッドボルト４４を挿通させ、さらに固定板４１における貫通孔部分とこれに挿通するスタッドボルト４４との接触部に接着剤を付けて、これらをより強固に結合することができる。
【００２６】
また、スタッドボルト４４は非導電性材料からなり、エンジニアリングプラスチックからなることが好ましく、スーパーエンジニアリングプラスチックからなることがより好ましい。すなわち、固定手段は、固定板４１に固定されたエンジニアリングプラスチックからなるスタッドボルト４４およびそれに螺合されるナット４５であることが好ましい。この場合、スタッドボルト４４に防食層２１、クッション層２２、平坦折返部３３およびバネ部材５の第１部（Ｐ1）が挿通されて、ナット４５が螺合されて固定される。
ここでエンジニアリングプラスチックは、１００℃以上の環境に長時間曝されても、４９ＭＰａ以上の引っ張り強度と２．５ＧＰａ以上の曲げ弾性率を持ったものであることが好ましい。
【００２７】
有機防食層２について説明する。
有機防食層２は防食層２１とクッション層２２とを含む。
防食層２１は従来公知の防食能を備える有機材料から形成されるものを用いることができる。例えばペトロラタム防食シートを利用することができる。
【００２８】
クッション層２２についても従来公知のクッション性を備える有機材料から形成されるものを用いることができる。例えば特殊発砲ポリエチレンからなるシートを利用することができる。
【００２９】
有機防食層２は、クッション層２２と防食層２１との間に、さらに遮水シートを備えることが好ましい。遮水シートとして例えば従来公知のポリエチレンからなるシートを利用することができる。
【００３０】
連結板について説明する。
本発明の防食構造体は、平坦折返部３３とクッション層２２の延長部分との間に、さらに連結板４２を有することが好ましい。図１に示すように、平坦折返部３３と、隣接する別の平坦折返部３３との隙間を連結板４２が閉じてクッション層２２が露出しないようにすることができる。ただし、平坦折返部３３と、隣接する別の平坦折返部３３との間が狭く、それらに隙間が生じない場合は、連結板４２は不要となる。
【００３１】
次に、本発明の防食構造体を形成するための手順を、図１、図２に示す好適例を用いて説明する。
まず、連結部１２で相互に連結された複数の鋼管矢板１に対し、連結部１２を跨ぐように固定板４１を溶接等により固定する。
次に、鋼管矢板１の本体部１１ないし固定板４１（連結部１２の領域）の表面に防食層２１を貼り付け、続いて防食層２１の表面にクッション層２２を貼り付ける。
固定板４１の表面（連結部１２の領域）においては、固定板４１に予め固定されているスタッドボルト４４と対応する位置に、防食層２１およびクッション層２２に切れ目等の挿通孔を形成し、この孔にスタッドボルト４４を挿通させる。
【００３２】
防食層２１およびクッション層２２が設置できたら、クッション層２２の表面に、バネ部材５の第１部（Ｐ1）を平坦折返部３３で挟んだ耐食性金属薄板３を被せる。
まず、耐食性金属薄板３の本体部３１を、本体部１１のクッション層２２の表面に被せ、その両端の平坦折返部３３を連結部１２の領域、つまり固定板４１の表面側に張られたクッション層２２の表面に被せる。ここで、連結部１２の領域に設置されたクッション層２２の表面には、先に耐食性金属薄板３と同質の連結板４２を設置しておき、両側から延びてくる平坦折返部３３同士の隙間が閉じられるようにしてもよい。
これらの耐食性金属薄板３の平坦折返部３３、バネ部材５の第１部（Ｐ1）および連結板４２は、防食層２１およびクッション層２２と同様に、それぞれスタッドボルト４４に挿通される。
【００３３】
次に、平坦折返部３３の表面に表れているスタッドボルト４４にワッシャー４６を挿通させ、スタッドボルト４４にナット４５を螺合させ、固定板４１から平坦折返部３３までを一括して締め付ける。
【００３４】
このナット４５を締め付けることで、耐食性金属薄板３は、平坦折返部３３が固定板４１に向けて押し付けられる。これにより、耐食性金属薄板３の本体部３１が、有機防食層２である防食層２１とクッション層２２とを鋼管矢板１の本体部１１に押し付け、クッション層２２が適宜圧縮された状態とされ、このクッション層２２による一様な圧力によって防食層２１が本体部１１の表面に密着される。
【００３５】
ここで、クッション層２２は本体部３１による圧縮に対して反発力Ｆ１を生じるが、バネ部材５の作用によってＦ５が働く。したがって、図５の態様の場合に生じていた張力Ｆ２や、それに伴うＦ３、Ｆ４は生じ難い。また、図２に示すように、平坦折返部３３がバネ部材５の第１部（Ｐ1）を挟み３層構造となっており剛性が極めて強いため、張力Ｆ２、Ｆ３、Ｆ４が生じたとしても、平坦折返部３３の浮き上がり等の本発明の防食構造体の変形を抑制することができる。
【００３６】
このように、平坦折返部３３等に傾きが生じないことから、平坦折返部３３と固定板４１との間の間隔は一定に維持される。その結果、従来のように本体部３１が起立する側とは反対側でクッション層２２が過剰に圧縮されて潰れてしまい、所期のクッション性が得られなくなるという問題、および、本体部３１が起立する側でクッション層２２が十分に押圧されず、防食層２１を固定板４１に対して密着させる機能が得られなくなるという問題を回避することができる。
【００３７】
このような本発明の防食構造体によれば、以下のような効果が得られる。
本発明の防食構造体９０では防食層２１、クッション層２２および耐食性金属薄板３により、鋼管矢板１の表面に複層被覆防食法に基づく防食構造が形成され、鋼管矢板１に対して十分な防食性能を得ることができる。
本発明の防食構造体において、鋼管矢板１に対する耐食性金属薄板３の固定は、鋼管矢板１に固定された固定板４１、スタッドボルト４４およびナット４５により、耐食性金属薄板３の本体部３１の辺縁に形成される平坦折返部３３を、当該部分まで延びる防食層２１およびクッション層２２とともに一括して締め付け固定することで行うことができる。
【００３８】
この固定部分においては、バネ部材５の作用によってＦ５が働くため、クッション層２２が生じた反発力Ｆ１を抑制することができ、その結果、図５の態様の場合に生じていた張力Ｆ２や、それに伴うＦ３、Ｆ４は生じ難い。また、図２に示すように、平坦折返部３３がバネ部材５の第１部（Ｐ1）を挟み３層構造となっており剛性が極めて強いため、張力Ｆ２、Ｆ３、Ｆ４が生じたとしても、平坦折返部３３の浮き上がり等の本発明の防食構造体の変形を抑制することができる。
【００３９】
これらにより、平坦折返部３３および押圧板４３の傾きが防止されることで、平坦折返部３３と固定板４１との間の防食層２１およびクッション層２２の延長部分が過剰に圧縮されたり、あるいは鋼管矢板１への密着が不十分になったりする等の不都合を防止することができる。
【００４０】
また、スタッドボルト４４が非導電性材料からなる場合は、仮に平坦折返部３３とスタッドボルト４４とが接したとしても、防食電流が鋼管矢板１からスタッドボルト４４を経由して耐食性金属板へ流出してしまうことはないため、鋼管矢板１における海中部分に施す電気防食を適切に作用させることができる。
【００４１】
さらに、スタッドボルト４４が予め固定板４１に固定されている場合は、施工作業において防食層２１、クッション層２２および平坦折返部３３の各々を順次スタッドボルト４４に挿通してゆけば、ナット４５を締め付けない状態であっても仮止め状態とすることができ、例えば港湾構造物の海中作業等であっても作業を容易に行うことができる。
【００４２】
なお、本発明は前述した各実施形態に限定されるものではなく、本発明の目的を達成できる範囲での変形等は本発明に含まれるものである。
例えば、前記好適例では、本発明に基づく防食構造９０を、本体部１１が断面円形の鋼管矢板１に適用したが、本発明の防食構造体は断面台形状の鋼矢板に適用することもできる。この場合、耐食性金属薄板３の本体部３１の形伏を鋼矢板に応じた断面台形状とすればよく、防食層２１およびクッション層２２は形伏追従性があるため何ら問題なく適用することができる。
【００４３】
本発明の防食構造体は、予め工場等で防食層２１にクッション層２２および耐食性金属薄板３を積層状態に加工しておき、これを現湯に搬入し、スタッドボルト４４を挿通させて鋼管矢板１に取り付け、ナット４５を蝶合させて一括して締め付け固定するようにしてもよく、このような工場施工をしておくことで、現場での貼り合わせの際の波浪による剥がれ等を回避することができる。
【符号の説明】
【００４４】
１…鋼管矢板
１１…本体部
１２…連結部
２…有機防食層
２１…防食層
２２…クッション層
３…耐食性金属薄板
３１…本体部
３２…平坦部
３３…平坦折返部
４１…固定板
４２…連結板
４３…隙間
４４…スタッドボルト
４５，４５１…ナット
４５２…規制部材であるフランジ
４５Ａ…フランジ付ナット
４５Ｂ…規制部材を兼ねる板状ナット
５…バネ部材
９…複層被覆防食構造
９Ａ…防食構造
９０…防食構造体
Ｐ1…第１部
Ｐ2…第２部
Ｗ1、Ｗ2…長手方向の辺
Ｗ3…折り目
Ｌ…第２部の幅
Ｍ…金属板
θ…第１部と第２部とがなす角度
【要約】
【課題】鋼矢板や鋼管矢板を複層被覆防食で防食する際、防食カバーの固定部分において耐食性金属薄板が傾かず防食カバーの密着性が確保され、確実に防食性能を発揮できる、より簡単な作業で構成することができる鋼矢板または鋼管矢板の防食構造体の提供。
【解決手段】海中部分に電気防食を施した鋼矢板または鋼管矢板における水際の表面に形成する防食構造体であって、耐食性を備える長尺状の金属板からなるバネ部材を有し、バネ部材は折り目を境界として第１部と第２部とに分かれており、耐食性金属薄板は本体部と辺縁に形成された平坦折返部とを備え、平坦折返部がバネ部材の第１部を挟み、第２部が本体部の裏面に付くように配置され、バネ部材の第２部がクッション層を鋼矢板または鋼管矢板の表面方向へ押し付けるように作用する鋼矢板または鋼管矢板の防食構造体。
【選択図】図２【図１】
0005942028.tif 000002
【図２】
0005942028.tif 000003
【図３】
0005942028.tif 000004
【図４】
0005942028.tif 000005
【図５】
0005942028.tif 000006
【図６】
0005942028.tif 000007